(57)【要約】【課題】洗浄水中への液体薬剤の投入量を安定させることができ、さらには、洗浄水の流れの勢いが弱まりにくい便器装置を提案する。【解決手段】本発明の便器装置１は、洗浄水中に液体薬剤を供給して洗浄を行う便器装置１である。この便器装置１は、洗浄水が流れる洗浄水流路２と、液体薬剤が溜められる貯液部６と、洗浄水流路２と貯液部６との間で移動して液体薬剤を洗浄水流路２に搬送する搬送部３と、この搬送部３の移動を制御する制御部４と、を備える。洗浄水流路２は、洗浄水流路２を主流路２３と副流路２４とに分ける分流部２５を有する。副流路２４は、主流路２３よりも貯液部６に近い位置に設けられる。制御部４は、副流路２４にまで搬送部３を移動させる。【選択図】図１
2014095236.tif 000002
【特許請求の範囲】
【請求項１】
洗浄水中に液体薬剤を供給して洗浄を行う便器装置であって、
前記洗浄水が流れる洗浄水流路と、前記液体薬剤が溜められる貯液部と、前記洗浄水流路と前記貯液部との間で移動して前記液体薬剤を前記洗浄水流路に搬送する搬送部と、この搬送部の移動を制御する制御部と、を備え、
前記洗浄水流路は、前記洗浄水流路を主流路と副流路とに分ける分流部を有し、前記副流路は、前記主流路よりも前記貯液部に近い位置に設けられ、
前記制御部は、前記副流路にまで前記搬送部を移動させることを特徴とする便器装置。
【請求項２】
前記貯液部と前記副流路とを連通する筒部を備え、
前記搬送部は、前記筒部を通じて前記副流路と前記貯液部との間で進退移動される第一水密部材及び第二水密部材を有し、この第一水密部材と前記第二水密部材との間に前記液体薬剤が保持される保持空間を有することを特徴とする請求項１に記載の便器装置。
【発明の詳細な説明】
【技術分野】
【０００１】
本発明は、洗浄水中に液体薬剤を供給して洗浄を行う便器装置に関する。
【背景技術】
【０００２】
特許文献１には、洗浄水中に液体薬剤を供給して洗浄を行う水洗便器が開示されている。
【０００３】
この水洗便器では、洗浄水が流れる洗浄水流路に、経路径を絞った小径部を設け、この小径部に液体薬剤供給のための経路を連通させている。これにより、小径部に流れ込む洗浄水により発生する負圧を利用して、経路を介して液体薬剤を吸引させ、洗浄水に液体薬剤を混入させることができる。
【先行技術文献】
【特許文献】
【０００４】
【特許文献１】特開２００８−１６３７４２号公報
【発明の概要】
【発明が解決しようとする課題】
【０００５】
しかし、特許文献１の水洗便器のように、洗浄水流路を流れる洗浄水によって発生する負圧を利用して液体薬剤を洗浄水に混入させる場合、洗浄水への液体薬剤の投入量が安定しないおそれがある。
【０００６】
そこで、上記事情を鑑みて、本発明は、洗浄水中への液体薬剤の投入量を安定させることができ、さらには、洗浄水の流れの勢いが弱まりにくい便器装置を提案することを課題とする。
【課題を解決するための手段】
【０００７】
上記課題を解決するために本発明の便器装置は、洗浄水中に液体薬剤を供給して洗浄を行う便器装置であって、前記洗浄水が流れる洗浄水流路と、前記液体薬剤が溜められる貯液部と、前記洗浄水流路と前記貯液部との間で移動して前記液体薬剤を前記洗浄水流路に搬送する搬送部と、この搬送部の移動を制御する制御部と、を備え、前記洗浄水流路は、前記洗浄水流路を主流路と副流路とに分ける分流部を有し、前記副流路は、前記主流路よりも前記貯液部に近い位置に設けられ、前記制御部は、前記副流路にまで前記搬送部を移動させることを特徴とする。
【０００８】
また、前記便器装置は、前記貯液部と前記副流路とを連通する筒部を備え、前記搬送部は、前記筒部を通じて前記副流路と前記貯液部との間で進退移動される第一水密部材及び第二水密部材を有し、この第一水密部材と前記第二水密部材との間に前記液体薬剤が保持される保持空間を有することが好ましい。
【発明の効果】
【０００９】
本発明の便器装置では、洗浄水流路を流れる洗浄水によって発生する負圧を利用しなくとも、制御部によって移動が制御される搬送部を利用して、貯液部の液体薬剤を洗浄水流路に搬送することができる。これにより、本発明の便器装置では、洗浄水中への液体薬剤の投入量を安定させることができる。
【００１０】
加えて、本発明の便器装置では、洗浄水流路を分流部によって主流路と副流路とに分け、制御部によって貯液部からこの貯液部に近い副流路にまで搬送部を移動させるようにしている。そのため、本発明の便器装置では、主流路まで搬送部が移動することがなく、これにより、主流路を流れる洗浄水の流れの勢いが、洗浄水流路内に位置した搬送部によって弱められることを防止できる。よって、本発明の便器装置は、洗浄水流路全体として、洗浄水の流れの勢いが弱まりにくいものとなっている。
【図面の簡単な説明】
【００１１】
【図１】本発明の実施形態の便器装置の洗浄水吐出装置の断面図を示し、（ａ）は搬送部に貯液部の液体薬剤を供給する状態であり、（ｂ）は搬送部の液体薬剤を洗浄水に供給する状態である。
【図２】同上の洗浄水吐出装置の搬送部を示す斜視図である。
【図３】同上の便器装置全体の断面図である。
【発明を実施するための形態】
【００１２】
以下、本発明を添付図面に示す実施形態に基づいて説明する。
【００１３】
図３には本実施形態の便器装置１の一例が示されている。便器装置１は、合成樹脂性の便器本体１０で主体を構成してある。
【００１４】
便器本体１０のボウル１１の下部には、後方に向けて排水筒部１２を突設してあり、この排水筒部１２からはトラップ９を介してボウル１１内の溜水を排水できるようになっている。トラップ９は、その下流端部が上を向く封水状態（図３に示す状態）と下を向く排水状態とを選択できるターントラップ方式のものである。なお、トラップ９は、その下流端部が上を向く封水状態で固定された方式のものであってもかまわない。
【００１５】
便器本体１０の後部には、機器収納部１４が設けられている。機器収納部１４は、仕切り部１３によって上部空間１４ａと下部空間１４ｂと、に分かれている。この上部空間１４ａに、ボウル１１に洗浄水を供給する洗浄水吐出装置が設けられている。
【００１６】
図１（ａ）及び図１（ｂ）に示す洗浄水吐出装置は、洗浄水が流れる洗浄水流路２と、洗浄水流路２への洗浄水供給手段と、洗浄水への薬剤供給手段とを備えている。洗浄水流路２の下流端部の吐出口２０からは、洗浄水、または、洗浄水に液体薬剤を混入した薬剤混合洗浄水のいずれかを選択的にボウル１１の内面に吐出することができ、これによりボウル１１の内面を洗浄することができる。なお、洗浄水吐出装置は、洗浄水へ空気を供給する空気供給手段を備えていてもよい。その場合、吐出口２０からは、洗浄水、または、気泡混合洗浄水、または、薬剤気泡混合洗浄水を吐出することができる。
【００１７】
洗浄水供給手段は、図３に示すように、例えば、洗浄水流路２の上流に直結される水道管と、この水道管に設けた電磁弁からなる給水制御弁１６とを備える。この給水制御弁１６は、ボウル１１への洗浄水の吐出動作時に開くように制御される。洗浄水流路２に洗浄水を供給する手段としては、例えば水道圧を利用する。洗浄水流路２の吐出口２０は、ボウル１１の上端部後方に配設されて、ボウル１１内に臨ませて設けられる。
【００１８】
洗浄水流路２は、図１（ａ）及び図１（ｂ）に示すように、水道管に直結される略円筒状のノズル管２１の内側空間と、このノズル管２１の先端部（下流端部）が挿入される略円筒横管状のエジェクタ管２２の内側空間とで形成される。この洗浄水流路２の構造については後で詳しく説明する。
【００１９】
薬剤供給手段は、液体薬剤が溜められる貯液部６と、この貯液部６と洗浄水流路２とを連通する筒部５と、筒部５を通じて貯液部６の液体薬剤を洗浄水流路２に搬送する搬送部３と、この搬送部３の移動を制御する制御部４（図３参照）と、を備えている。薬剤供給手段はさらに、液体薬剤を溜める薬剤タンク５３と、薬剤タンク５３と貯液部６を繋ぐ供給経路５１と、を備えている。液体薬剤としては、例えば、界面活性剤を含む洗剤、あるいは芳香剤などの水溶液が挙げられる。本実施形態では、薬剤タンク５３は貯液部６よりも上方に配置されており、液体薬剤は、その自重によって、薬剤タンク５３から貯液部６へ移動する。薬剤タンク５３は、便器本体１０の外面部分に設けたカバー（図示せず）を取り外すことで、便器本体１０の外部へと取り外すことができ、液体薬剤を補充可能である。なお、薬剤タンク５３は、貯液部６よりも下方に配置し、ポンプで汲み上げて、液体薬剤を薬剤タンク５３から貯液部６へ移動させるようにしてもよい。
【００２０】
搬送部３は駆動部７によって駆動される。この駆動部７を制御部４によって制御することによって、搬送部３は洗浄水流路２と貯液部６との間で移動される。制御部４は、例えばマイクロコンピュータである。
【００２１】
貯液部６は、筒状に形成されており、上部に供給経路５１が接続される接続口を備えている。貯液部６の下端部は、円筒状の筒部５を介して、エジェクタ管２２に接続されている。筒部５の下端は、洗浄水流路２に臨ませている。
【００２２】
駆動部７は、モータ７０と、モータ７０のモータ軸に偏心させて固定した円盤状のカム７１と、このカム７１の外周面に押されて上下方向に進退駆動する軸部７２と、軸部７２をカム７１の外周面に押し当てるコイル状のばね７３と、を備える。軸部７２は、軸方向の途中箇所に鍔部７４を備えている。軸部７２は、支持孔７５に貫通している。軸部７２の外周には、ばね７３が巻きついており、このばね７３が鍔部７４と支持孔７５の開口周縁部に押し当たっている。これにより、軸部７２の一端（上端）が、カム７１の外周面に押し当たる。この軸部７２の他端部（下端部）に、搬送部３が設けられている。駆動部７は、モータ７０が回転することによってカム７１が偏心回転し、このカム７１によって押される軸部７２が進退移動する。これにより、搬送部３が洗浄水流路２と貯液部６との間で移動される。
【００２３】
搬送部３は、軸部７２の他端（下端）に固定された第一水密部材３０と、軸部７２のうち第一水密部材３０から軸部７２の軸方向に所定距離離れた箇所に固定された第二水密部材３１と、を備える。第一及び第二水密部材３０，３１は、図２に示すように、円柱状であり、その外径は、円筒状の筒部５の内径と略同じである。なお、本実施形態では、筒部５は、内周面に周方向に亘る環状の凹み５０を備えており、この凹み５０に弾性変形可能なゴム製の環状のリング５２が埋め込まれている。第一及び第二水密部材３０，３１の少なくとも一方と、リング５２が全周に亘って接触することで、筒部５は水密に閉塞される。第一水密部材３０と第二水密部材３１は、筒部５を通じて貯液部６と洗浄水流路２との間で進退移動される。ここで、第一水密部材３０と第二水密部材３１は、少なくとも一方が筒部５を水密に閉塞して洗浄水流路２と貯液部６とが連通しないように進退移動される。
【００２４】
搬送部３は、第一水密部材３０と第二水密部材３１との間に液体薬剤が保持される保持空間３２を有する。ここで、第一水密部材３０と第二水密部材３１との間の距離は、筒部５の筒長さよりも短い範囲で、洗浄水流路２を流れる洗浄水に供給する液体薬剤の量に応じて、適宜設定される。なお、本実施形態では、第一水密部材３０と第二水密部材３１とを軸部７２に固定して保持空間３２を所定の広さとしているが、この第一水密部材３０と第二水密部材３１との間の距離を可変する可変機構を設けて、保持空間３２の広さを調整自在としてもよい。
【００２５】
本実施形態の便器装置１では、図１（ａ）及び図１（ｂ）に示すように、洗浄水流路２は、分流部２５を有しており、この分流部２５は、洗浄水流路２を主流路２３と副流路２４とに分ける。分流部２５は、主流路２３が副流路２４よりも流路面積の広い流路となるように洗浄水流路２を分流する。副流路２４は、主流路２３よりも貯液部６に近い位置に設けられる。分流部２５は、洗浄水流路２のうち、搬送部３が進退する領域よりも上流側に配置されている。なお、以下では、洗浄水流路２の長手方向の一方向である図に示す右向きの矢印方向を、洗浄水の流れ方向として説明する。
【００２６】
分流部２５は、主流路２３を形成するための主流ガイド部２６と、副流路２４を形成するための副流ガイド部２７を備える。主流ガイド部２６は、洗浄水の流れ方向に対して傾斜させて設けた傾斜部２６０と、この傾斜部２６０の下流端から洗浄水の流れ方向に沿って延設された整流部２６１とを有する。また、副流ガイド部２７は、洗浄水の流れ方向に対して傾斜させて設けた傾斜部２７０と、この傾斜部２７０の下流端から洗浄水の流れ方向に沿って延設された整流部２７１とを有する。主流ガイド部２６の傾斜部２６０と、副流ガイド部２７の傾斜部２７０の傾斜方向は逆向きである。
【００２７】
洗浄水流路２には、主流ガイド部２６に径方向に対向する箇所に、主流増速部２８を備える。この主流増速部２８は、洗浄水の流れ方向に対して傾斜させた傾斜部２８０と、この傾斜部２８０の下流端から洗浄水の流れ方向に沿って延設された整流部２８１と、を備える。主流増速部２８の傾斜部２８０は、主流ガイド部２６の傾斜部２６０に対向する箇所に配置され、主流増速部２８の整流部２８１は、主流ガイド部２６の整流部２６１に対向する箇所に配置されている。主流ガイド部２６の傾斜部２６０と主流増速部２８の傾斜部２８０とは、下流側ほどその間の距離が徐々に狭くなるように配されている。これにより、主流ガイド部２６の傾斜部２６０と主流増速部２８の傾斜部２８０とによって、主流路２３を流れる洗浄水を増速させている。
【００２８】
また、洗浄水流路２には、副流ガイド部２７に径方向に対向する箇所に、副流増速部２９を備える。この副流増速部２９は、洗浄水の流れ方向に沿って延設されている。副流ガイド部２７の傾斜部２７０が下流側ほど副流増速部２９に近づくことによって、副流路２４を流れる洗浄水を増速させている。
【００２９】
さらに、本実施形態では、洗浄水流路２には、搬送部３が進退する領域と分流部２５との間に、減速抑制部８を備える。減速抑制部８は、洗浄水の流れ方向に沿って設けられている。この減速抑制部８によって、分流部２５の下流で主流路２３と副流路２４の流路面積が広がることを抑制して、増速した主流路２３の洗浄水の流れと、増速した副流路２４の洗浄水の流れが減速することを抑制できる。また、減速抑制部８によって、主流路２３の洗浄水の流れと副流路２４の洗浄水の流れが混合することを抑制できる。
【００３０】
主流路２３は、吐出口２０に向けて設けられており、副流路２４は、吐出口２０に向けて設けられておらず、洗浄水流路２内まで移動させたときの搬送部３に向けて設けられている。副流路２４を流れる洗浄水は、洗浄水の流れ方向に対して略垂直に設けられた対向壁１５に衝突する等して流れの方向を変えて、主流路２３を流れる洗浄水に合流する。
【００３１】
本実施形態では、ノズル管２１は、下流端部が閉塞されており、この閉塞された下流端部に、主流路２３を形成するための主吐出口２１０と、副流路２４を形成するための副吐出口２１１とを備える。主吐出口２１０と副吐出口２１１はそれぞれ円孔状である。なお、主吐出口２１０と副吐出口２１１はそれぞれ長孔状であってもよい。主吐出口２１０は、副吐出口２１１よりも広い開口となっている。この主吐出口２１０と副吐出口２１１との間の閉塞部位が分流部２５を成している。
【００３２】
エジェクタ管２２は、流路径が変わる箇所を境にして、上流部位２２０、中流部位２２１、下流部位２２２に分けられる。上流部位２２０は、流路径が一定であり、分流部２５を有する部位である。中流部位２２１は、上流端部分が、下流側ほど流路径が徐々に小さくなっており、そのさらに下流では流路径が一定である。中流部位２２１は、筒部５を介して貯液部６が連通する部位である。下流部位２２２は、洗浄水の流れ方向に対して略垂直な連結壁２２３を介して、中流部位２２１に連続している。そのため、下流部位２２２の管の中心線は、中流部位２２１の管の中心線よりも下方に位置している。下流部位２２２は、上流端部分が、下流側ほど流路径が徐々に大きくなっており、そのさらに下流では流路径が一定である。なお、上流部位２２０の管の中心線は、中流部位２２１の管の中心線よりも下方に位置している。
【００３３】
エジェクタ管２２は、下流部位２２２の管の中心線の延長線上に、ノズル管２１が挿入される挿入口と、吐出口２０とを備えている。この下流部位２２２の管の中心線の延長線上にノズル管２１の主吐出口２１０が配置されており、すなわち主流路２３はこの下流部位２２２の管の中心線に沿って延びている。
【００３４】
続いて、上述した便器装置１のボウル１１が洗浄される際の搬送部３の動作について説明する。
【００３５】
図１（ａ）には、ボウル１１を洗浄する前の搬送部３の状態を示している。このとき、第一水密部材３０は筒部５内に位置し、第二水密部材３１及び保持空間３２は貯液部６内に位置している。このように貯液部６内に位置させた保持空間３２には、貯液部６の液体薬剤が流れ込む。また、このとき、第一水密部材３０によって筒部５は水密に閉塞され、貯液部６から洗浄水流路２に液体薬剤が流れ出すことが防止される。
【００３６】
ボウル１１の洗浄を行う洗浄ボタン（図示せず）が自動または手動で操作されると、給水制御弁１６が開いて、水道管からの水が洗浄水流路２（ノズル管２１及びエジェクタ管２２）へと流れる。水道管からの水は、ノズル管２１の主吐出口２１０と副吐出口２１１とからそれぞれ吐出され、洗浄水流路２中に主流路２３と副流路２４とが形成される。
【００３７】
このように洗浄水流路２に水が供給され始めると、制御部４は、モータ７０を回転させ、カム７１を回転させて軸部７２を洗浄水流路２側（下側）に移動させて、搬送部３を副流路２４へと移動させる。このとき、制御部４は、第一水密部材３０と第二水密部材３１とのうち少なくとも一方を筒部５内に位置させながら、保持空間３２及び第一水密部材３０を貯液部６内から副流路２４にまで移動させる。
【００３８】
副流路２４に位置した保持空間３２には、副流路２４を流れる洗浄水が流れ込み、これにより、洗浄水に液体薬剤が供給される。この液体薬剤が供給された洗浄水は、対向壁１５に衝突する等して流れの方向を変えて、主流路２３を流れる洗浄水に合流する。これにより、洗浄水流路２を流れる洗浄水に液体薬剤を供給することができる。
【００３９】
給水制御弁１６は、所定時間、開状態を維持した後、閉じられる。給水制御弁１６を閉じ、洗浄水流路２中の洗浄水（特に、副流路２４の洗浄水）がなくなると、制御部４はモータ７０を回転させ、カム７１を回転させて軸部７２を貯液部６側（上側）に移動させて、搬送部３を貯液部６へと移動させる。このとき、制御部４は、第一水密部材３０と第二水密部材３１のうち少なくとも一方を筒部５内に位置させながら、保持空間３２及び第二水密部材３１を貯液部６内にまで移動させる。このように、洗浄水流路２中の洗浄水（特に、副流路２４の洗浄水）がなくなってから、保持空間３２を貯液部６内にまで移動させるようにすることで、保持空間３２に入り込んだ洗浄水が貯液部６の液体薬剤に混ざって、貯液部６の液体薬剤が濃度低下することを防止できる。
【００４０】
以上説明した本実施形態の便器装置１では、洗浄水流路２を流れる洗浄水によって発生する負圧を利用しなくとも、制御部４によって移動が制御される搬送部３を利用して、貯液部６の液体薬剤を洗浄水流路２に搬送することができる。これにより、本実施形態の便器装置１では、洗浄水中への液体薬剤の投入量を安定させることができる。
【００４１】
加えて、本実施形態の便器装置１では、洗浄水流路２を分流部２５によって主流路２３と副流路２４とに分け、制御部４によって貯液部６からこの貯液部６に近い副流路２４にまで搬送部３を移動させるようにしている。そのため、本実施形態の便器装置１では、主流路２３まで搬送部３が移動することがなく、これにより、主流路２３を流れる洗浄水の流れの勢いが、洗浄水流路２内に位置した搬送部３によって弱められることを防止できる。よって、本実施形態の便器装置１は、洗浄水流路２全体として、洗浄水の流れの勢いが弱まりにくいものとなっている。
【００４２】
また、本実施形態の便器装置１では、搬送部３を、第一水密部材３０と第二水密部材３１とを備え、この間に液体薬剤を保持する保持空間３２を形成したものとしている。そのため、本実施形態の便器装置１では、第一水密部材３０と第二水密部材３１との間の距離（保持空間３２の広さ）に対応した一定量の液体薬剤を洗浄水流路２へと搬送することができ、洗浄水中への液体薬剤の投入量を安定させることができる。
【００４３】
また、本実施形態の便器装置１では、増速作用を有する分流部２５を設けて、洗浄水流路２中に、流路面積の広い主流路２３を流れる増速した洗浄水の流れと、流路面積の狭い副流路２４を流れる増速した洗浄水の流れとを形成している。これにより、保持空間３２の液体薬剤に、副流路２４の洗浄水の流れを勢い良く当てて、保持空間３２から液体薬剤を掻き出すことができる。そして、この掻き出した液体薬剤と洗浄水を、主流路２３を勢い良く流れる洗浄水の流れに載せて吐出口２０へと運ぶことができる。
【００４４】
また、本実施形態の便器装置１では、洗浄水流路２に設けた分流部２５の上流側の部分を、洗浄水流路２の流れ方向に対して傾斜させて設けている。そのため、この分流部２５に衝突する洗浄水のエネルギーロスを極力抑えることができ、分流部２５を洗浄水流路２中に設けたにもかかわらず、洗浄水流路２全体として、流れる洗浄水の勢いを弱めにくいものとなっている。
【００４５】
また、本実施形態の便器装置１では、主流路２３を洗浄水流路２の吐出口２０に向けて一直線上に設けている。これにより、主流路２３を流れる洗浄水の流れの勢いがエジェクタ管２２内の他の構成によって弱められにくくすることができる。
【００４６】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４７】
１      便器装置
２      洗浄水流路
３      搬送部
４      制御部
５      筒部
６      貯液部
２３    主流路
２４    副流路
２５    分流部
３０    第一水密部材
３１    第二水密部材
３２    保持空間
【図１】
2014095236.tif 000003
【図２】
2014095236.tif 000004
【図３】
2014095236.tif 000005